(57)【要約】  一部の室内機が運転し他の室内機が停止している状態に置かれたときにも、停止している室内機に冷媒が滞留することを抑制する。  冷媒と空気との熱交換を行う複数の室内熱交換器（１ａ，１ｂ）と、冷媒と空気との熱交換を行う室外熱交換器（２）と、冷媒の流路を切り替える六方弁（３）と、冷媒を圧縮するための圧縮機（７）と、冷媒の流れを遮断可能に設けられている閉止弁（４ａ，４ｂ）とを備える。複数の室内熱交換器は室外熱交換器と六方弁を介して接続されている。複数の室内熱交換器は六方弁に対し互いに並列に接続されている。複数の室内熱交換器の少なくとも１つは六方弁と閉止弁を介して接続されている。
2017085888.tif 000002
【特許請求の範囲】
【請求項１】
冷媒と室内の空気との熱交換を行う複数の室内熱交換器と、  前記冷媒と室外の空気との熱交換を行う室外熱交換器と、  前記冷媒の流路を切り替える六方弁と、  前記冷媒を圧縮するための圧縮機と、  前記冷媒の流れを遮断可能に設けられている閉止弁とを備え、  前記複数の室内熱交換器は前記室外熱交換器と前記六方弁を介して接続されており、  前記複数の室内熱交換器は前記六方弁に対し互いに並列に接続されており、  前記複数の室内熱交換器の少なくとも１つは前記六方弁と前記閉止弁を介して接続されている、冷凍サイクル装置。
【請求項２】
前記閉止弁は、第１膨張弁である、請求項１に記載の冷凍サイクル装置。
【請求項３】
前記室外熱交換器と前記六方弁との間に配置された第２膨張弁をさらに備え、  冷房運転時に、前記六方弁は前記冷媒の流路が前記室外熱交換器から前記六方弁へ向かうように制御され、前記第２膨張弁は全開放される、請求項２に記載の冷凍サイクル装置。
【請求項４】
前記閉止弁は、電磁弁である、請求項１に記載の冷凍サイクル装置。
【請求項５】
前記冷媒は、少なくとも２種類以上の冷媒を混合した混合冷媒である、請求項１〜請求項４のいずれか１項に記載の冷凍サイクル装置。
【請求項６】
前記冷媒は、非共沸混合冷媒である、請求項５に記載の冷凍サイクル装置。
【発明の詳細な説明】
【技術分野】
【０００１】  本発明は、冷凍サイクル装置に関し、特に複数の室内熱交換器を備える冷凍サイクル装置に関する。
【背景技術】
【０００２】  従来、六方弁および膨張弁を備え、室外機または室内外機について冷暖房時のいずれにおいても温度対向流化できるヒートポンプ空調装置は存在する（特開平８−１７０８６４号公報、特開平８−１７０８６５号公報参照）。
【先行技術文献】
【特許文献】
【０００３】
【特許文献１】特開平８−１７０８６４号公報
【特許文献２】特開平８−１７０８６５号公報
【発明の概要】
【発明が解決しようとする課題】
【０００４】  しかしながら、従来のヒートポンプ空調装置は、個別に運転動作・停止動作を切り替え可能に設けられている複数の室内機を備える冷凍サイクル装置に適用された場合、一部の室内機が運転し他の室内機が停止している状態に置かれたときに、停止している室内機に冷媒が滞留してしまうという問題があった。【０００５】  本発明は、上記のような課題を解決するためになされたものである。本発明の主たる目的は、個別に運転動作・停止動作を切り替え可能に設けられている複数の室内機を備える冷凍サイクル装置であって、一部の室内機が運転し他の室内機が停止している状態に置かれたときにも、停止している室内機に冷媒が滞留することが抑制された冷凍サイクル装置を提供することにある。
【課題を解決するための手段】
【０００６】  本発明に係る冷凍サイクル装置は、冷媒と室内の空気との熱交換を行う複数の室内熱交換器と、冷媒と室外の空気との熱交換を行う室外熱交換器と、冷媒の流路を切り替える六方弁と、冷媒を圧縮するための圧縮機と、冷媒の流れを遮断可能に設けられている閉止弁とを備える。複数の室内熱交換器は室外熱交換器と六方弁を介して接続されている。複数の室内熱交換器は六方弁に対し互いに並列に接続されている。複数の室内熱交換器の少なくとも１つは六方弁と閉止弁を介して接続されている。
【発明の効果】
【０００７】  本発明によれば、複数の室内機が個別に運転動作・停止動作を切り替え可能に設けられている場合において一部の室内機が運転し他の室内機が停止している状態に置かれたときにも、停止している室内機に冷媒が滞留することが抑制された冷凍サイクル装置を提供することができる。
【図面の簡単な説明】
【０００８】
【図１】実施の形態１に係る冷凍サイクル装置を示す図である。
【図２】実施の形態１に係る冷凍サイクル装置の、冷房運転時における六方弁を示す断面図である。
【図３】実施の形態１に係る冷凍サイクル装置の、暖房運転時における六方弁を示す断面図である。
【図４】実施の形態１に係る冷凍サイクル装置の六方弁の変形例を示す図である。
【図５】図４に示す六方弁の冷房運転時および暖房運転時の各状態を示す図である。
【図６】実施の形態２に係る冷凍サイクル装置を示す図である。
【発明を実施するための形態】
【０００９】  以下、図面を参照して、本発明に係る実施の形態について説明する。なお、以下の図面において、同一または相当する部分には同一の参照番号を付し、その説明は繰り返さない。
【００１０】  （実施の形態１）＜冷凍サイクル装置の構成＞  次に、図１を参照して、実施の形態１に係る冷凍サイクル装置１００を説明する。冷凍サイクル装置１００は、複数の室内熱交換器１（１ａ，１ｂ）、室外熱交換器２、六方弁３、閉止弁４（４ａ，４ｂ）、延長配管５（５ａ，５ｂ），６（６ａ，６ｂ）、圧縮機７、膨張弁（第２膨張弁）８、ファン９ａ，９ｂ，９ｃを備える。冷凍サイクル装置１００において、複数の室内熱交換器１、室外熱交換器２、六方弁３、閉止弁４、延長配管５，６、圧縮機７、および膨張弁（第２膨張弁）８は、互いに接続されており、冷媒が循環する冷媒回路を構成している。冷凍サイクル装置１００は、複数の閉止弁４ａ，４ｂを備える。全ての室内熱交換器１ａ，１ｂは、それぞれ閉止弁４ａ，４ｂを介して六方弁３と接続されている。
【００１１】  複数の室内熱交換器１ａ，１ｂは、個別に運転状態と停止状態とを切り替え可能に設けられている。複数の室内熱交換器１ａ，１ｂは、それぞれ運転状態において冷媒と室内の空気との熱交換を行う。複数の室内熱交換器１ａ，１ｂは六方弁３に対し互いに並列に接続されている。複数の室内熱交換器１ａ，１ｂの入側が六方弁３のポート３６とそれぞれ接続されており、複数の室内熱交換器１ａ，１ｂの出側が六方弁３のポート３４とそれぞれ接続されている。
【００１２】  室外熱交換器２は、冷媒と室外の空気との熱交換を行う。六方弁３は、制御装置（図示しない）からの制御信号に応じて、冷房運転時の冷房サイクル状態（図１の実線参照）と暖房運転時の暖房サイクル状態（図１の破線参照）とのいずれかの状態に切り替え可能に設けられている。複数の室内熱交換器１ａ，１ｂは室外熱交換器２と六方弁３を介して接続されている。
【００１３】  図２および図３を参照して、六方弁３は、たとえばスライド式の切り替え弁として構成されている。六方弁３は、中空の枠体である弁本体３０と、弁本体３０に接続された６つのポート３１，３２，３３，３４，３５，３６を有している。５つのポート３２，３３，３４，３５，３６は、弁本体３０に対しポート３１の反対側において、弁本体３０の延在方向に配列されている。ポート３１は、圧縮機７の吐出側と接続されている。ポート３２は、室外熱交換器２と接続されている。ポート３２は、冷房運転時における室外熱交換器２の入側、暖房運転時における室外熱交換器２の出側と接続されている。ポート３３は、圧縮機７の吸入側と接続されている。ポート３４は、複数の室内熱交換器１ａ，１ｂの出側と接続されている。ポート３５は、膨張弁８を介して室外熱交換器２と接続されている。ポート３５は、冷房運転時における室外熱交換器２の出側、暖房運転時における室外熱交換器２の入側と接続されている。ポート３６は、複数の室内熱交換器１ａ，１ｂの入側と接続されている。
【００１４】  弁本体３０内には、上記延在方向にスライド可能なスライド弁体３９が設けられている。スライド弁体３９内には、２つの管路が設けられている。スライド弁体３９内の当該２つの管路は、それぞれ５つのポート３２，３３，３４，３５，３６のうちの２つのポート間を接続可能に設けられている。弁本体３０内には、スライド弁体３９内の２つの流路と、スライド弁体３９の外側において上記２つの管路と接続されていない１つのポートとポート３１との間の１つの流路とが形成されている。
【００１５】  図２に示されるように、六方弁３は、冷房運転時にはポート３１とポート３２、ポート３３とポート３４、ポート３５とポート３６が、それぞれ接続される。図３に示されるように、六方弁３は、暖房運転時には、ポート３１とポート３６、ポート３２とポート３３、ポート３４とポート３５が、それぞれ接続される。六方弁３のポート３６は、冷房運転時または暖房運転時に関わらず、室内熱交換器１ａ，１ｂに冷媒を流出する流出ポートとして機能する。六方弁３のポート３４は、冷房運転時または暖房運転時に関わらず、室内熱交換器１ａ，１ｂから冷媒を流入可能に設けられている。
【００１６】  六方弁３のポート３６と各室内熱交換器１ａ，１ｂとの間を接続する配管は、ポート３２に接続されている部分と、当該ポート３６に接続されている部分から分岐されて互いに並列に構成されており、かつ各室内熱交換器１ａ，１ｂと接続されている部分とを有する。閉止弁４ａおよび延長配管５ａは、六方弁３のポート３６と各室内熱交換器１ａ，１ｂとの間を接続する配管において室内熱交換器１ａと接続されている部分に設けられている。閉止弁４ｂおよび延長配管５ｂは、六方弁３のポート３６と各室内熱交換器１ａ，１ｂとの間を接続する配管において室内熱交換器１ｂと接続されている部分に設けられている。
【００１７】  閉止弁４ａ，４ｂは、それぞれ独立して冷媒の流れを遮断可能に設けられている。閉止弁４ａは、上述のように、六方弁３のポート３６と室内熱交換器１ａとの間を接続する配管上に設けられており、当該配管を閉止可能に設けられている。閉止弁４ｂは、上述のように、六方弁３のポート３６と室内熱交換器１ｂとの間を接続する配管上に設けられており、当該配管を閉止可能に設けられている。閉止弁４ａ，４ｂは、配管の閉止または開通を制御可能に設けられている限りにおいて任意の構成を備えていればよいが、たとえば電磁弁として構成されている。閉止弁４ａ，４ｂは、たとえば延長配管５ａ，５ｂよりも六方弁３に近い位置に設けられている。
【００１８】  延長配管５ａは、上述のように、六方弁３のポート３６と室内熱交換器１ａとの間に設けられており、より特定的には、閉止弁４ａと室内熱交換器１ａとの間に設けられている。延長配管５ｂは、上述のように、六方弁３のポート３６と室内熱交換器１ｂとの間に設けられており、より特定的には、閉止弁４ｂと室内熱交換器１ｂとの間に設けられている。
【００１９】  延長配管６ａは、上述のように、室内熱交換器１ａと六方弁３のポート３４との間に設けられている。延長配管６ｂは、上述のように、室内熱交換器１ｂと六方弁３のポート３４との間に設けられている。
【００２０】  圧縮機７は、六方弁３のポート３３から吸入される冷媒を圧縮して六方弁３のポート３１へ吐出する。膨張弁８は、冷房運転時において、室外熱交換器２から六方弁３のポート３５へ流れる冷媒を膨張させる。膨張弁８は、暖房運転時において、六方弁３のポート３５から室外熱交換器２へ流れる冷媒を膨張させる。ファン９ａ，９ｂ，９ｃは、それぞれ室内熱交換器１ａ，１ｂ、室外熱交換器２に対して送風可能に設けられている。
【００２１】  冷凍サイクル装置１００において循環される流体は、水または不凍液（ブライン）と、冷媒である。冷媒は、たとえば少なくとも２種類以上の冷媒を混合した混合冷媒である。冷媒は、共沸混合冷媒であってもよいし、非共沸混合冷媒であってもよい。
【００２２】  ＜冷凍サイクル装置の動作＞  次に、図１〜図３を参照して、冷凍サイクル装置１００の動作について説明する。はじめに、複数の室内熱交換器１ａ，１ｂが全て動作状態にあるときについて説明する。冷房運転時では、六方弁３は図２に示される構成を採るように制御される。これにより、冷凍サイクル装置１００は、図１において実線で示される冷房サイクル状態に置かれる。圧縮機７から吐出された冷媒は、六方弁３のポート３１およびポート３２を通って、室外熱交換器２に達し、室外熱交換器２において室外の空気と熱交換されて凝縮される。凝縮された冷媒は、膨張弁８を通って膨張される。膨張された冷媒は、六方弁３のポート３５、ポート３６および開放された閉止弁４ａ，４ｂを通って、室内熱交換器１ａ，１ｂに達し、室内熱交換器１ａ，１ｂにおいて室内の空気と熱交換されて蒸発される。
【００２３】  次に、複数の室内熱交換器１ａ，１ｂのうち、一部の室内熱交換器１ａが動作状態に、他の室内熱交換器１ｂが停止状態にあるときについて説明する。この場合には、閉止弁４ｂが閉止される。膨張弁８により膨張された冷媒は、閉止弁４ｂが閉止されていることにより室内熱交換器１ｂに流れず、開放された閉止弁４ａを通って、室内熱交換器１ａに達し、室内熱交換器１ａにおいて室内の空気と熱交換されて蒸発される。
【００２４】  ＜作用効果＞  次に、冷凍サイクル装置１００の作用効果について説明する。冷凍サイクル装置１００は、運転状態において冷媒と室内の空気との熱交換を行い、個別に運転状態と停止状態とを切り替え可能に設けられている複数の室内熱交換器１ａ，１ｂと、冷媒と室外の空気との熱交換を行う室外熱交換器２と、冷媒の流路を切り替える六方弁３と、冷媒を圧縮するための圧縮機７と、冷媒の流れを遮断可能に設けられている閉止弁４ａ，４ｂとを備える。複数の室内熱交換器１ａ，１ｂは室外熱交換器２と六方弁３を介して接続されている。複数の室内熱交換器１ａ，１ｂは六方弁３に対し互いに並列に接続されている。複数の室内熱交換器１ａ，１ｂの少なくとも１つは六方弁３と閉止弁４ａ，４ｂを介して接続されている。
【００２５】  このようにすれば、複数の室内熱交換器１ａ，１ｂのうちの一部の室内熱交換器１ａが運転状態、他の室内熱交換器１ｂが停止状態にあるときに、停止状態にある室内熱交換器１ｂと六方弁３との間の冷媒の流れを、閉止弁４ｂにより遮断することができる。その結果、冷凍サイクル装置１００によれば、停止状態にある室内熱交換器１ｂに冷媒が流入しかつ滞留することが抑制されている。
【００２６】  また、複数の室内熱交換器１ａ，１ｂは、六方弁３により、冷房運転時および暖房運転時においても冷媒の流通方向が一定であり、逆転しない。具体的には、複数の室内熱交換器１ａ，１ｂが並列に接続されている六方弁３のポート３６は、冷房運転時には膨張弁８を介して室外熱交換器２と接続されたポート３５と接続され、暖房運転時には圧縮機７の吐出側と接続されたポート３１と接続される。そのため、冷房運転時および暖房運転時においても、複数の室内熱交換器１ａ，１ｂに流れる冷媒は、六方弁３のポート３６から流入し、ポート３４へ流出される。冷凍サイクル装置１００によれば、冷房運転時および暖房運転時においても、室内熱交換器１ａ，１ｂを温度対向流化することができる。そのため、冷凍サイクル装置１００は、高い伝熱性能を有している。また、冷凍サイクル装置１００によれば、室内熱交換器が冷房運転時または暖房運転時のいずれかにおいて冷媒と空気とが平行流化する従来の冷凍サイクル装置と比べて、室内熱交換器１ａ，１ｂにおける冷媒と空気との間の対数平均温度差を大きくすることができる。そのため、冷凍サイクル装置１００は、非共沸混合冷媒が封入され室内熱交換器１ａ，１ｂ内において温度勾配が形成される場合にも、熱交換性能の低下が抑制されている。さらに、冷凍サイクル装置１００は、室内熱交換器１ａ，１ｂの上記対数平均温度が大きいため、室内熱交換器１ａ，１ｂの熱交換量を所定の値としたときの圧縮機７の吸入側の冷媒圧力を、上記従来の冷凍サイクル装置と比べて、高圧化することができる。そのため、冷凍サイクル装置１００によれば、上記従来の冷凍サイクル装置と比べて、圧縮機７での冷媒の圧縮率を低くすることができ、冷凍サイクルの効率を向上させることができる。
【００２７】  また、冷凍サイクル装置１００は、六方弁３により複数の室内熱交換器１ａ，１ｂを上記対向流化可能に設けられているため、四方弁やブリッジ回路などを複数台組み合わせることにより対向流化可能に設けられている従来の冷凍サイクル装置と比べて、小型化することができる。また、冷凍サイクル装置１００は、従来の冷凍サイクル装置において上述のような複数の室内熱交換器の対向流化および室内熱交換器での冷媒滞留防止を実現する場合と比べて、部品点数を少なくすることができ、信頼性が向上されている。
【００２８】  なお、複数の室内熱交換器１ａ，１ｂのうち、一部の室内熱交換器１ｂのみが動作状態と停止状態との切り替えが行われ得る場合には、当該一部の室内熱交換器１ｂと六方弁３との間にのみ閉止弁４ｂが設けられていればよい。複数の室内熱交換器１ａ，１ｂの全てが動作状態と停止状態との切り替えが行われ得る場合には、全ての室内熱交換器１ａ，１ｂと六方弁３との間に，それぞれ閉止弁４ａ，４ｂが設けられている。
【００２９】  閉止弁４ａ，４ｂは、たとえば電磁弁として構成されていてもよい。このようにすれば、閉止弁４ａ，４ｂはそれぞれ独立にかつ容易に制御され得る。
【００３０】  図４および図５を参照して、六方弁３は、ロータリー式の切り替え弁として構成されていてもよい。六方弁３は、弁本体３０と、弁本体３０に接続された６つのポート３１，３２，３３，３４，３５，３６を有している。弁本体３０は、たとえば相対的に回転可能に設けられた第１弁体３０Ａと第２弁体３０Ｂとを含む。ポート３１は第１弁体３０Ａに、ポート３２，３３，３４，３５，３６は第２弁体３０Ｂに接続されている。ポート３２，３３，３４，３５，３６は、第２弁体３０Ｂの周方向に配列されている。第１弁体３０Ａには３つの管路４１，４２，４３が形成されている。第２弁体３０Ｂには、ポート３２，３３，３４，３５，３６のそれぞれと接続された５つの管路が形成されている。このようにすれば、六方弁３による冷房運転と暖房運転との切り替え時に、切り替え音抑制のために圧縮機７を一旦停止させることなく、当該切り替えを行うことができる。また、冷凍サイクル装置１００は、圧縮機７を一旦停止させることなく上記切り替えを行うことができるため、切り替え後の運転状態が安定化するまでに要する時間が短い。
【００３１】  管路４１は、第１弁体３０Ａと第２弁体３０Ｂとの相対的な回転動作に関わらず、常時ポート３１と接続可能に設けられている。管路４１は、第１弁体３０Ａと第２弁体３０Ｂとの相対的な回転動作により、ポート３２またはポート３６と接続可能に設けられている。管路４１は、上記回転動作により、ポート３１とポート３２との間、またはポート３１とポート３６との間に流路を形成可能に設けられている。管路４２，４３は、それぞれポート３２，３３，３４，３５，３６のうちの２つのポート間を接続可能に設けられている。管路４２は、上記回転動作により、ポート３３とポート３４との間、またはポート３２とポート３３との間に流路を形成可能に設けられている。管路４３は、上記回転動作により、ポート３５とポート３６との間、またはポート３４とポート３５との間に流路を形成可能に設けられている。このようにしても、六方弁３は、図１において実線で示される冷房サイクル状態と図１において破線で示される暖房サイクル状態とに切り替え可能である。
【００３２】  （実施の形態２）  次に、図６を参照して、実施の形態２に係る冷凍サイクル装置１０１について説明する。冷凍サイクル装置１０１は、基本的には冷凍サイクル装置１００と同様の構成を備えるが、閉止弁が膨張弁（第１膨張弁）１０ａ，１０ｂとして構成されている点で異なる。
【００３３】  膨張弁１０ａ，１０ｂは、それぞれ独立して冷媒の流れを遮断可能に設けられている。膨張弁１０ａは、六方弁３のポート３６と室内熱交換器１ａとの間を接続する配管上に設けられている。膨張弁１０ｂは、上述のように、六方弁３のポート３６と室内熱交換器１ｂとの間を接続する配管上に設けられている。膨張弁１０ａ，１０ｂは、その開度に応じて、各配管を閉止可能であり、または、各配管に流れる冷媒を膨張可能である。膨張弁１０ａ，１０ｂは、室内熱交換器１ａ，１ｂが停止状態にあるときには各配管を閉止し、室内熱交換器１ａ，１ｂが運転状態にあるときには各配管に流れる冷媒を膨張させるように制御される。膨張弁１０ａ，１０ｂは、たとえば延長配管５ａ，５ｂよりも六方弁３に近い位置に設けられている。
【００３４】  このようにしても、複数の室内熱交換器１ａ，１ｂのうちの一部の室内熱交換器１ａが運転状態、他の室内熱交換器１ｂが停止状態にあるときに、停止状態にある室内熱交換器１ｂと六方弁３との間の冷媒の流れを、膨張弁１０ｂにより遮断することができる。その結果、冷凍サイクル装置１００によれば、停止状態にある室内熱交換器１ｂに冷媒が流入しかつ滞留することが抑制されている。冷凍サイクル装置１０１は、冷凍サイクル装置１００と同様の構成を備える六方弁３を備えるため、冷房運転時および暖房運転時においても、室内熱交換器１ａ，１ｂを温度対向流化することができる。
【００３５】  なお、冷凍サイクル装置１０１において、膨張弁８は、冷房運転時において、全開放されているのが好ましい。一般に、冷房運転時には、室外熱交換器において凝縮された液状態の冷媒（液冷媒）は、膨張弁により減圧膨張されて気液２相状態で室内熱交換器に送られる。冷凍サイクル装置１０１では、室外熱交換器２と室内熱交換器１ａ，１ｂとの間には、室外熱交換器２と六方弁３との間に位置する膨張弁８と、六方弁３と室内熱交換器１ａ，１ｂとの間に位置する膨張弁１０ａ，１０ｂとが設けられている。そのため、室内熱交換器１ａ，１ｂに送られる冷媒は、少なくとも膨張弁１０ａ，１０ｂにおいて膨張されていればよい。冷房運転時において膨張弁８を全開放とすることで、六方弁３のポート３５からポート３６には気液２相状態の冷媒ではなく液冷媒を流すことができる。その結果、六方弁３内における冷媒の流れを安定化させることができる。また、冷房運転時において六方弁３に流通させる冷媒を気液２相状態の冷媒ではなく液冷媒とすることにより、冷媒の圧力損失を低減することができる。
【００３６】  今回開示された実施の形態はすべての点において例示であって制限的なものでは無いと考えられるべきである。本発明の範囲は、上記した説明ではなくて請求の範囲によって示され、請求の範囲と均等の意味および範囲内でのすべての変更が含まれることが意図される。
【産業上の利用可能性】
【００３７】  本発明に係る冷凍サイクル装置は、個別に運転動作・停止動作を切り替え可能に設けられている複数の室内機を備える冷凍サイクル装置に特に有利に適用される。
【符号の説明】
【００３８】  １，１ａ，１ｂ  室内熱交換器、２  室外熱交換器、３  六方弁、４，４ａ，４ｂ  閉止弁、５，５ａ，５ｂ，６，６ａ，６ｂ  延長配管、７  圧縮機、８  膨張弁、１０ａ，１０ｂ  膨張弁、９ａ，９ｂ，９ｃ  ファン、３０  弁本体、３０Ａ  第１弁体、３０Ｂ  第２弁体、３１，３２，３３，３４，３５，３６  ポート、３９  スライド弁体、４１，４２，４３  管路、１００，１０１  冷凍サイクル装置。
【図１】
2017085888.tif 000003
【図２】
2017085888.tif 000004
【図３】
2017085888.tif 000005
【図４】
2017085888.tif 000006
【図５】
2017085888.tif 000007
【図６】
2017085888.tif 000008
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
冷媒と室内の空気との熱交換を行う複数の室内熱交換器と、
前記冷媒と室外の空気との熱交換を行う室外熱交換器と、
前記冷媒の流路を切り替える六方弁と、
前記冷媒を圧縮するための圧縮機と、
前記冷媒の流れを遮断可能に設けられている第１膨張弁とを備え、
前記複数の室内熱交換器は前記室外熱交換器と前記六方弁を介して接続されており、
前記複数の室内熱交換器は前記六方弁に対し互いに並列に接続されており、
前記複数の室内熱交換器の少なくとも１つは前記六方弁と前記第１膨張弁を介して接続されており、
前記室外熱交換器と前記六方弁との間に配置された第２膨張弁をさらに備え、
冷房運転時に、前記冷媒が前記室外熱交換器から前記六方弁へ向かうように前記六方弁は制御され、かつ前記室外熱交換器において凝縮された冷媒は、前記第１膨張弁と前記第２膨張弁とのうち、少なくとも前記第１膨張弁により減圧膨張されて前記複数の室内熱交換器の少なくとも１つに送られる、冷凍サイクル装置。
【請求項２】
冷房運転時に、前記第２膨張弁は全開放される、請求項１に記載の冷凍サイクル装置。
【請求項３】
前記冷媒は、少なくとも２種類以上の冷媒を混合した混合冷媒である、請求項１または２に記載の冷凍サイクル装置。
【請求項４】
前記冷媒は、非共沸混合冷媒である、請求項３に記載の冷凍サイクル装置。
【手続補正２】
【補正対象書類名】明細書
【補正対象項目名】０００２
【補正方法】変更
【補正の内容】
【０００２】
従来、六方弁および膨張弁を備え、室外機または室内機について冷暖房時のいずれにおいても温度対向流化できるヒートポンプ空調装置は存在する（特開平８−１７０８６４号公報、特開平８−１７０８６５号公報参照）。
【手続補正３】
【補正対象書類名】明細書
【補正対象項目名】００１６
【補正方法】変更
【補正の内容】
【００１６】
六方弁３のポート３６と各室内熱交換器１ａ，１ｂとの間を接続する配管は、ポート３６に接続されている部分と、当該ポート３６に接続されている部分から分岐されて互いに並列に構成されており、かつ各室内熱交換器１ａ，１ｂと接続されている部分とを有する。閉止弁４ａおよび延長配管５ａは、六方弁３のポート３６と各室内熱交換器１ａ，１ｂとの間を接続する配管において室内熱交換器１ａと接続されている部分に設けられている。閉止弁４ｂおよび延長配管５ｂは、六方弁３のポート３６と各室内熱交換器１ａ，１ｂとの間を接続する配管において室内熱交換器１ｂと接続されている部分に設けられている。
【手続補正４】
【補正対象書類名】明細書
【補正対象項目名】００２６
【補正方法】変更
【補正の内容】
【００２６】
また、複数の室内熱交換器１ａ，１ｂは、六方弁３により、冷房運転時および暖房運転時においても冷媒の流通方向が一定であり、逆転しない。具体的には、複数の室内熱交換器１ａ，１ｂが並列に接続されている六方弁３のポート３６は、冷房運転時には膨張弁８を介して室外熱交換器２と接続されたポート３５と接続され、暖房運転時には圧縮機７の吐出側と接続されたポート３１と接続される。そのため、冷房運転時および暖房運転時においても、複数の室内熱交換器１ａ，１ｂに流れる冷媒は、六方弁３のポート３６から流入し、ポート３４へ流出される。冷凍サイクル装置１００によれば、冷房運転時および暖房運転時においても、室内熱交換器１ａ，１ｂを温度対向流化することができる。そのため、冷凍サイクル装置１００は、高い伝熱性能を有している。また、冷凍サイクル装置１００によれば、室内熱交換器が冷房運転時または暖房運転時のいずれかにおいて冷媒と空気とが平行流化する従来の冷凍サイクル装置と比べて、室内熱交換器１ａ，１ｂにおける冷媒と空気との間の対数平均温度差を大きくすることができる。そのため、冷凍サイクル装置１００は、非共沸混合冷媒が封入され室内熱交換器１ａ，１ｂ内において温度勾配が形成される場合にも、熱交換性能の低下が抑制されている。さらに、冷凍サイクル装置１００は、室内熱交換器１ａ，１ｂの上記対数平均温度差が大きいため、室内熱交換器１ａ，１ｂの熱交換量を所定の値としたときの圧縮機７の吸入側の冷媒圧力を、上記従来の冷凍サイクル装置と比べて、高圧化することができる。そのため、冷凍サイクル装置１００によれば、上記従来の冷凍サイクル装置と比べて、圧縮機７での冷媒の圧縮率を低くすることができ、冷凍サイクルの効率を向上させることができる。
【手続補正５】
【補正対象書類名】明細書
【補正対象項目名】００３４
【補正方法】変更
【補正の内容】
【００３４】
このようにしても、複数の室内熱交換器１ａ，１ｂのうちの一部の室内熱交換器１ａが運転状態、他の室内熱交換器１ｂが停止状態にあるときに、停止状態にある室内熱交換器１ｂと六方弁３との間の冷媒の流れを、膨張弁１０ｂにより遮断することができる。その結果、冷凍サイクル装置１０１によれば、停止状態にある室内熱交換器１ｂに冷媒が流入しかつ滞留することが抑制されている。冷凍サイクル装置１０１は、冷凍サイクル装置１００と同様の構成を備える六方弁３を備えるため、冷房運転時および暖房運転時においても、室内熱交換器１ａ，１ｂを温度対向流化することができる。
【国際調査報告】
2017085888.tif 000009
2017085888.tif 000010
2017085888.tif 000011
2017085888.tif 000012